(57)【特許請求の範囲】
【請求項１】
前壁１に繋がる蓋８の側縁に表示部材２０を連設し、前壁１から蓋８に至る部分に折目に挟まれた裏重板１７、表面板１８及び下折板１９を順次配し、蓋８から表示部材２０を起こして二つ折りし、裏重板１７を斜前下方へ折り曲げ、表面板１８を斜後上方へ折り返して、表示部材２０の先端部を裏重板１７と表面板１８の間に挟み、下折板１９を下方へ折り曲げて前壁１の後側に重ね合わせると、前面で傾斜した表面板１８の側部から表示部材２０が突出した状態で保持される表示機能付包装箱。
【請求項２】
前壁５１に前切線６１を設けて表示部材６２を形成し、この表示部材６２の中央に縦折線６３を、先端に係合片６５をそれぞれ設け、表示部材６２の基端が繋がる前壁５１の端部に係合溝６６を形成し、前切線６１を切断して、前壁５１を両端下部を残して切り開き、表示部材６２を縦折線６３沿いに二つ折りして係合片６５を係合溝６６に係合させると、前面一側から突出した表示部材６２の戻りが防止される表示機能付包装箱。
【発明の詳細な説明】
【０００１】
【発明の属する技術分野】
この発明は、商品の包装及び陳列に使用する紙箱に関するものである。
【０００２】
【従来の技術】
一般に、店頭で商品を棚に載せて陳列する際には、商品名や価格を表示したプレートを棚の前面に沿って取り付ける。このような表示は、箱入りの商品を蓋を開けて陳列する際にも同様に行われる。
【０００３】
【発明が解決しようとする課題】
しかしながら、上記のような表示は、側方から見にくく、棚に沿って歩く買い物客の目に止まりにくいという問題がある。
【０００４】
そこで、この発明は、商品の包装箱を利用して、側方からの視認性を高めることを課題とする。
【０００５】
【課題を解決するための手段】
上記課題を解決するため、この発明は、前壁に繋がる蓋の側縁に表示部材を連設し、前壁から蓋に至る部分に折目に挟まれた裏重板、表面板及び下折板を順次配し、蓋から表示部材を起こして二つ折りし、裏重板を斜前下方へ折り曲げ、表面板を斜後上方へ折り返して、表示部材の先端部を裏重板と表面板の間に挟み、下折板を下方へ折り曲げて前壁の後側に重ね合わせると、前面で傾斜した表面板の側部から表示部材が突出した状態で保持されるようにしたのである。
【０００６】
また、前壁に前切線を設けて表示部材を形成し、この表示部材の中央に縦折線を、先端に係合片をそれぞれ設け、表示部材の基端が繋がる前壁の端部に係合溝を形成し、前切線を切断して、前壁を両端下部を残して切り開き、表示部材を縦折線沿いに二つ折りして係合片を係合溝に係合させると、前面一側から突出した表示部材の戻りが防止されるようにしたのである。
【０００７】
このような包装箱では、表示部材を前方に突出させることにより、側方からの視認性を向上させ、消費者への訴求力の高い陳列を行うことができる。
【０００８】
【発明の実施の形態】
この発明の第１実施形態を図１乃至図７に基づいて説明する。図１に示すブランクにおいて、前壁１の一側縁には側壁２、後壁３、側壁４及び継代片５が順次連設され、前壁１及び後壁３の下縁には底片６が、側壁２、４の下縁には底板７がそれぞれ連設されている。前壁１の上縁には蓋８が、側壁２、４の上縁には蓋受片９がそれぞれ連設され、蓋８の先端部には封止片１０が設けられている。
【０００９】
前壁１と側壁２の稜線及び側壁４と継代片５の稜線には上端から下方へミシン目による前切線１１が設けられ、前壁１及び継代片５には、これらを貼り合わせたとき前切線１１を結ぶ外折線１２が設けられている。また、蓋８には、折返線１３、下折線１４及び蓋切線１５が基端側から先端側へ順次設けられている。蓋切線１５はジッパとなっている。
【００１０】
ここで、前壁１の外折線１２より下方は前立板１６、外折線１２と折返線１３に挟まれた部分は裏重板１７、折返線１３と下折線１４に挟まれた部分は表面板１８、下折線１４と蓋切線１５に挟まれた部分は下折板１９とされている。そして、裏重板１７と表面板１８とは同じ大きさとされ、下折板１９の長さは前立板１６より短く設定されている。
【００１１】
表面板１８の側縁からは表示部材２０が延出され、この表示部材には対称な一対の表示片２１、２１と、挟持片２２とが基端側から順次配置されている。
【００１２】
前立板１６の上縁には切込により差込片２３が突設され、下折線１４沿いには差込片２３が差し込まれる差込孔２４が設けられている。また、挟持片２２の内側縁には突起２５が設けられ、下折線１４沿いには突起２５が係合する切込２６が設けられている。そのほか、側壁２、４には、前切線１１の下端から後板３の上縁へ向かってジッパ及びミシン目により側切線２７が設けられている。
【００１３】
上記のようなブランクを組み立てて商品を包装するには、図２及び図３に示すように、前壁１、側壁２、後壁３及び側壁４を筒状に折り曲げ、継代片５を前壁１に貼着し、底片６と底板７とを一組ずつ貼り合わせ、対向する底板７同士を係合させる。その後、商品Ｇを箱内に収納し、蓋受片９を内側へ折り曲げ、蓋８を閉じ、封止片１０を後壁３と蓋受片９の間に差し込んで封緘する。
【００１４】
そして、商品を陳列する際には、図４に示すように、蓋８を開き、蓋切線１５を切断して蓋８の先端部を切り取り、前切線１１及び側切線２７を切断して、側壁２、４の上部を除去する。次いで、蓋８から表示部材２０を起こし、図５に示すように、表示片２１同士を重ね、裏重板１７を外折線１２沿いに斜前下方へ折り曲げ、図６及び図７に示すように、表面板１８を折返線１３沿いに斜後上方へ折り返して、挟持片２２を裏重板１７と表面板１８の間に挟み、下折板１９を下折線１４沿いに下方へ折り曲げて前立板１６の後側に重ね、突起２５を切込２６に係合させ、差込片２３を差込孔２４に差し込む。
【００１５】
このように変形すると、前面で傾斜した表面板１８の側部から表示部材２０が突出し、表示片２１を側方から見ることができるので、表面板１８及び表示片２１に商品の宣伝、価格等を記載しておくことにより、消費者への訴求力が高い陳列が可能となる。
【００１６】
次に、この発明の第２実施形態を図８乃至図１２に基づいて説明する。図８に示すブランクにおいて、前壁５１の一側縁には側壁５２及び後壁５３が、他側縁には側壁５４及び継代片５５がそれぞれ順次連設され、前壁５１及び後壁５３の下縁には底片５６が、側壁５２、５４の下縁には底板５７がそれぞれ連設されている。後壁５３の上縁には蓋５８が、側壁５２、５４の上縁には蓋受片５９がそれぞれ連設され、蓋５８の先端部には封止片６０が設けられている。
【００１７】
前壁５１にはミシン目により前切線６１が設けられ、その上方に、前壁５１の両端下部を残して全幅に亘る表示部材６２が形成されている。この表示部材６２には、中央の縦折線６３を挟む一対の表示片６４、６４と、先端から突出して側壁５２に切れ込む係合片６５とが設けられ、表示部材６２の基端が繋がる前壁５１の端部には、係合片６５が係合する係合溝６６が形成されている。
【００１８】
側壁５２、５４には、その上部を切り取るための側切線６７がジッパ及びミシン目により形成され、蓋５８の中央部には、両端部の横折線６８と、これを繋ぐ円弧状の切目線６９とが設けられている。後壁５３には、封止片６０が差し込まれる差込孔７０が設けられている。
【００１９】
上記のようなブランクを組み立てて商品を包装するには、図９及び図１０に示すように、前壁５１、側壁５２、後壁５３及び側壁５４を筒状に折り曲げ、継代片５５を後壁５３に貼着し、底片５６と底板５７とを一組ずつ貼り合わせ、対向する底板５７同士を係合させる。その後、商品Ｇを箱内に収納し、蓋受片５９を内側へ折り曲げ、蓋５８を閉じ、封止片６０を前壁５１と蓋受片５９の間に差し込んで封緘する。
【００２０】
そして、商品を陳列する際には、図１１及び図１２に示すように、蓋５８を開いて、横折線６８沿いに二つ折りし、封止片６０を差込孔７０に差し込んで蓋５８の戻りを阻止し、側切線６７を切断して、側壁５２、５４の上部を除去すると共に、前切線６１を切断し、表示部材６２を縦折線６３沿いに二つ折りして前方に突出させ、係合片６５を係合溝６６に係合させて表示部材６２の戻りを防止する。
【００２１】
このように変形すると、前壁５１の開口の一側部から表示部材６２が突出し、商品Ｇの正面と共に、表示片６４を側方から見ることができるので、表示片６４に商品の宣伝、価格等を記載しておくことにより、消費者への訴求力が高い陳列が可能となる。
【００２２】
【発明の効果】
以上のように、この発明に係る包装箱では、蓋から延出し、又は前壁を切り開いた表示部材を二つ折りにしてその根元を固定し、前面から突出させることとしたので、側方からの視認性に優れた訴求力の高い陳列を行うことができる。
【図面の簡単な説明】
【図１】第１実施形態のブランクを示す図
【図２】同上の包装用組立過程を示す斜視図
【図３】同上の包装状態を示す斜視図
【図４】同上の陳列状態への変形過程を示す斜視図
【図５】同上の陳列状態への変形過程を示す斜視図
【図６】同上の陳列状態を示す斜視図
【図７】同上の縦断側面図
【図８】第２実施形態のブランクを示す図
【図９】同上の包装用組立過程を示す斜視図
【図１０】同上の包装状態を示す斜視図
【図１１】同上の陳列状態を示す斜視図
【図１２】同上の縦断側面図
【符号の説明】
１  前壁
２、４  側壁
３  後壁
８  蓋
１１  前切線
１２  外折線
１３  折返線
１４  下折線
１５  蓋切線
１６  前立板
１７  蓋重板
１８  表面板
１９  下折板
２０  表示部材
２１  表示片
２２  挟持片
５１  前壁
５２、５４  側壁
５３  後壁
５８  蓋
６１  前切線
６２  表示部材
６３  縦折線
６４  表示片
６５  係合片
６６  係合溝
【図１】
0004321931.tif 000002
【図２】
0004321931.tif 000003
【図３】
0004321931.tif 000004
【図４】
0004321931.tif 000005
【図５】
0004321931.tif 000006
【図６】
0004321931.tif 000007
【図７】
0004321931.tif 000008
【図８】
0004321931.tif 000009
【図９】
0004321931.tif 000010
【図１０】
0004321931.tif 000011
【図１１】
0004321931.tif 000012
【図１２】
0004321931.tif 000013